(57)【特許請求の範囲】
【請求項１】
洋式トイレの便器本体の前方の上面と、「便器本体の上方に位置する便座」の前方の下面との隙間を塞ぐ尿遮断構造体であって、
該尿遮断構造体は、構造体本体と貼換可能紙を有し、該便座の前方の下面に、尿を遮断するように設けられるものであり、
該構造体本体は、弓形に曲がっていてもよい略棒状をしており、
該略棒状の構造体本体の側面は、少なくとも２つの側面が平面であり、１つの平面の側面Ａは、便座の下面に添着されるようになっており、もう１つの平面の側面Ｂは、上記貼換可能紙が貼り付けられるようになっており、
該貼換可能紙は、その幅が、該構造体本体の側面Ｂの幅より大きくなっていて、側面Ｂの上側と下側にはみ出ており、上側のはみ出し部分ｂ１は、そのはみ出し幅が０．７ｍｍ以上３ｍｍ以下であって、便座の下面と該構造体本体の添着部分を覆うようになっており、
下側のはみ出し部分ｂ２は、そのはみ出し幅が２ｍｍ以上１６ｍｍ以下であって、該構造体本体と「上記便器本体の前方の上面」との隙間を覆うようになっており、
該貼換可能紙には、模様又は文字が印刷されており、尿で濡れると滲むようになっていて交換時期が来たことを知らせるようになっており、
該貼換可能紙は、該構造体本体の手前側の側面Ｂに、貼り換えが可能なように貼り付けられていることを特徴とする尿遮断構造体。
【請求項２】
上記貼換可能紙が、水に溶解又は微分散するものであり、尿で汚れた際に便器本体の中に廃棄できるようになっている請求項１に記載の尿遮断構造体。
【請求項３】
上記貼換可能紙が、上から順に、印刷層、紙、粘着層を有しており、該印刷層は、模様又は文字が印刷されることで形成されている請求項１又は請求項２に記載の尿遮断構造体。
【請求項４】
請求項１ないし請求項３の何れかの請求項に記載の尿遮断構造体用であることを特徴とする貼換可能紙。
【請求項５】
上から順に、印刷層、紙、粘着層を有しており、該印刷層は、模様又は文字が印刷されることで形成されている請求項４に記載の貼換可能紙。
【請求項６】
請求項１ないし請求項３の何れかの請求項に記載の尿遮断構造体が設けられていることを特徴とする便座。
【請求項７】
請求項１ないし請求項３の何れかの請求項に記載の尿遮断構造体を具備することを特徴とする便器本体。
【発明の詳細な説明】
【技術分野】
【０００１】
本発明は、尿が便器の前方に飛び出ることを防止する尿遮断構造体に関し、更には、洋式トイレの便器本体の上面と便座の下面との隙間を塞ぐ尿遮断構造体、及び、該尿遮断構造体に貼り付けられる貼換可能紙に関するものである。
【背景技術】
【０００２】
洋式トイレを使用する場合、女性も男性も、大人も子供も、該洋式トイレに座って小便をすることが多い。その場合、ほぼ必然的に、便器本体の縁の前方上面と、便座の前方下面との隙間から、尿が便器の前に向かって便器の外に飛び出る。特に、男性の子供の場合には、そのことが頻繁に起こる。【０００３】
そのことに対処した技術として、便器本体の縁の前方全体に、横が約４０ｃｍ縦が約１５ｃｍの保護テープを貼り付けておいて、汚れたら該保護テープを貼り換える方法が知られている。
しかしながら、この方法は、大きなテープの貼り換えが必要である上に、上記隙間から尿が外に飛び出ることを遮断するものではなかった。【０００４】
上記隙間からの尿の飛び出しを遮断する器具として、便器本体の縁の前方の上面に該器具を設ける方法と、便座の前方の下面に該器具を設ける方法（特許文献１〜５）とが知られている。何れの方法も、便座を倒して便器本体に上に重ねると、尿の方向（前方）に遮断物が存することになり、ある程度は尿の飛び出しを防止することができる。
しかしながら、前者の方法は、該器具の取り付け取り外しが容易ではなく、汚れた場合の交換が面倒であった。【０００５】
後者の「便座の前方の下面に該器具を設ける方法」として、特許文献１には、男性が排出した尿を受けて便器内に導く尿受け具が記載されており、特許文献２には、小便飛散漏れ防止フード又は便座と一体成型の小便飛散漏れガードが記載されている。
しかしながら、カーテンのような尿受け具や小便飛散漏れ防止フードでは、大き過ぎて取り扱いが難しく、頻繁に交換することができなかった。また、便座と一体成型では、便座の成型が面倒であり、また必要としない人にも、それを押し付けることになる。【０００６】
特許文献３には、洋式便器の便座内側に、座った人間に対面する位置に垂れ下がるように配設された尿飛散防止板と、洋式便器の便座に脱着可能に取り付ける係着手段と、からなる尿飛散防止具が記載され、該尿飛散防止板は下端に向かうにつれ、座った人間から遠ざかる方向に傾斜していることが好ましいと記載されている。
また、特許文献４には、上記隙間を遮蔽体で塞ぐと共に、該遮蔽体は便器本体の内にまで延出しており、それによって小用飛散防止ができるとしている。
しかしながら、これら上記隙間を塞ぐものではあるが、該隙間から便器本体の内部にまで延出しているカーテンのようなものであり、該カーテンのようなものに沿って尿を便器内に導くものであり、不必要に大きなものであり、構造が複雑で、従って汚れたときの交換が極めて面倒なものであった。【０００７】
特許文献５と特許文献６には、上記隙間を塞ぐ形状の構造物が概念的に記載されているが、何れも形態が漠然としており、着脱方法等についても不明で、極めて使用し難いものであった。
【先行技術文献】
【特許文献】
【０００８】
【特許文献１】特開２００１−１３７１５３号公報
【特許文献２】特開２００２−３０９６４８号公報
【特許文献３】特開２００３−０４１６４０号公報
【特許文献４】特開２００５−１７７０９５号公報
【特許文献５】特開２０１１−１２５６４６号公報
【特許文献６】特開２０１５−０２７５２７号公報
【発明の概要】
【発明が解決しようとする課題】
【０００９】
洋式便器の周辺、特に尿の方向である洋式便器前方は汚れ易く掃除が大変である。しかしながら、従来技術では、尿の飛び散り防止の完璧性に注力するあまり、汚れた場合の対処について、特に汚れた器具の処理等に考慮したものではなかった。
具体的には、従来技術では、前記したように尿の飛び散り器具等の構造体が大きく、汚れをふき取る面積が逆に大きくなってしまうことがあった。また、該器具等の構造体の取り外しが面倒又はできないものであったり、該器具等の構造体が比較的高価だったりして、汚れた器具等の構造体を簡単には取り換えできないものであった。【００１０】
本発明は、上記及び背景技術の記載に鑑みてなされたものであり、その課題は、上記の問題点を解決し、洋式トイレの前方の外の「尿による汚れ」を簡便な尿遮断構造体により防止し、該尿遮断構造体が尿で濡れて汚れた場合には、簡便に該汚れを取り除くことができる尿遮断構造体を提供することにある。
【課題を解決するための手段】
【００１１】
本発明者は、上記の課題を解決すべく鋭意検討を重ねた結果、洋式トイレの便器本体の前方の上面と便座の前方の下面との隙間を、貼換可能紙を有する特定の尿遮断構造体によって塞ぐようにすれば、洋式トイレの前方への（外への）尿の放射を防止できると共に、簡便に掃除・汚れの除去ができることを見出して、本発明を完成するに至った。【００１２】
すなわち、本発明は、洋式トイレの便器本体の前方の上面と、「便器本体の上方に位置する便座」の前方の下面との隙間を塞ぐ尿遮断構造体であって、
該尿遮断構造体は、構造体本体と貼換可能紙を有し、該便座の前方の下面に、尿を遮断するように設けられるものであり、
該構造体本体は、弓形に曲がっていてもよい略棒状をしており、
該貼換可能紙は、該構造体本体の手前側の側面Ｂに、貼り換えが可能なように貼り付けられていることを特徴とする尿遮断構造体を提供するものである。【００１３】
また、本発明は、上記の尿遮断構造体用であることを特徴とする貼換可能紙を提供するものである。
また、本発明は、上記の尿遮断構造体が設けられていることを特徴とする便座を提供するものである。
また、本発明は、上記の尿遮断構造体を具備することを特徴とする便器本体を提供するものである。
【発明の効果】
【００１４】
本発明によれば、前記問題点と上記課題を解決し、特定の尿遮断構造体を用いれば、洋式トイレ前方の「便器本体と便座との隙間」から尿が前方外部に放出してしまうことによる「洋式トイレ前方の床」等を汚すことを簡便に防止することができる。
また、該尿遮断構造体自体も、使用を続けると尿で濡れて汚れるが、該尿遮断構造体自体のクリーニングも簡単で、該尿遮断構造体の構造体本体は、（長期に）使用し続けることができる。
すなわち、尿遮断構造体自体も容易に洋式トイレに設置できて取り除くことも容易であり、更に、尿遮断構造体が汚れたときの再生も、手前の面（尿管の方向を向いている側面）Ｂに存在する貼換可能紙を貼り換えるだけなので極めて容易である。【００１５】
前記したような公知の技術は、カーテンのようなものを前方に設けることによって、そこに当たった尿を下の便器内に流し込むものが多いが、そこまで完璧にする必要性はない上に、該公知技術は、むしろ汚れる部分の面積を大きくするだけであり、逆に掃除を大変にし、更には汚れた器具等の構造体の取り換え等にまで考慮したものでは全くなかった。
本発明によれば、特定形状の構造体本体によって、便座の下面に設置が容易であり、汚れた場合でも、貼換可能紙を剥がして貼り換えるだけで、再生（クリーニング）が極めて容易である。【００１６】
また、上記貼換可能紙の幅を、上記構造体本体の側面Ｂの幅より大きくすれば、上側のはみ出し部分ｂ１によって、該構造体本体と「便座の下面」との添着部分を覆うことができて、濡れ・汚れが浸透し易い該添着部分を保護することができる。【００１７】
また、下側のはみ出し部分ｂ２によって、上記隙間をほぼ完璧に覆うことができて、尿の洋式トイレ前方への噴射をほぼ完璧に防止することができる。すなわち、該貼換可能紙を柔軟性のあるもの（曲がり易いもの）にして、下側のはみ出し部分ｂ２を十分に長くしておけば、該貼換可能紙の下側のはみ出し部分ｂ２が、便器本体の縁の上面に沿って曲がって該上面に密着し、「該貼換可能紙の下端」と「該便器本体の縁の上面」との間から、尿が前方に漏れ出すことがなくなる。【００１８】
また、上記貼換可能紙が洋式トイレから下水に流せるものであれば、該貼換可能紙の交換時に、その場で濡れた（汚れた）貼換可能紙を洋式トイレに捨てることができて、ますます使用勝手が良くなり取り扱いが更に容易になる。【００１９】
また、上記貼換可能紙を特定の層構成（材質）及び／又は印刷（インク）とすれば、ある程度にまで該貼換可能紙の耐久性を上げられると共に、濡れて汚れたことが分かり易くなり、該貼換可能紙の交換時期を使用者に知らせることができる。
【図面の簡単な説明】
【００２０】
【図１】本発明の尿遮断構造体の使用態様の例を示す図である。  （Ａイ）棒状の尿遮断構造体が便座の前方の下面に設けられた状態の図  （Ａロ）弓形に曲がっている略棒状の尿遮断構造体が便座の前方の下面に設けられた状態の図  （Ｂイ）（Ｂロ）尿遮断構造体を尿の噴射方向に向かって見た図であって、図１（Ｃイ）のＰ−Ｐ’矢視断面図  （Ｃイ）（Ｃロ）便器使用時に便座の上から見た図
【図２】便器本体の上面と便座下面との隙間を塞ぐように設けられた尿遮断構造体の断面図であって、貼換可能紙の態様を示す図であり、図１（Ｃイ）のＱ−Ｑ’矢視断面図である。  （ａ１）（ｂ１）構造体本体は隙間を塞いでいないが、貼換可能紙は隙間を塞いでいる態様  （ａ２）（ｂ２）構造体本体は隙間をほぼ塞いでおり、貼換可能紙で隙間を完全に塞いでいる態様
【図３】貼換可能紙の形態を示す尿遮断構造体の例の横断面図であり、図１（Ｃイ）のＱ−Ｑ’矢視断面図の中の尿遮断構造体のみの図である。
【図４】本発明の尿遮断構造体の一例を示す斜視図である。
【図５】本発明における貼換可能紙の層構成の好ましい一例を示す断面図である。
【図６】本発明における貼換可能紙の一例を示す正面図である。  （ａ）日本語  （ｂ）中国語
【発明を実施するための形態】
【００２１】
以下、本発明について説明するが、本発明は、以下の具体的形態に限定されるものではなく、技術的思想の範囲内で任意に変形することができる。
【００２２】
本発明は、洋式トイレの便器本体の前方の上面と、「便器本体の上方に位置する便座」の前方の下面との隙間を塞ぐ尿遮断構造体であって、
該尿遮断構造体は、構造体本体と貼換可能紙を有し、該便座の前方の下面に、尿を遮断するように設けられるものであり、
該構造体本体は、弓形に曲がっていてもよい略棒状をしており、
該貼換可能紙は、該構造体本体の手前側の側面Ｂに、貼り換えが可能なように貼り付けられていることを特徴とする尿遮断構造体である。
【００２３】
図１に示したように、本発明の尿遮断構造体２１は、便座１２の前方の下面１２ａに設けられるものであり、「図１（Ａイ）（Ａロ）のように跳ね上げてある便座１２」を、通常使用するときのように便器本体１１の上に乗せれば（倒せば）、該便器本体の前方の上面１１ａと該便座の前方の下面１２ａとの間に生じている隙間１３を塞ぐことによって、そこから洋式トイレの前方に放射される尿を遮断するように設けられるものである。
該尿遮断構造体２１は、該便座１２にどのように設けられていてもよく、例えば、一体として便座を製造；便座にネジ止め；便座に添着；等が挙げられる。中でも、該尿遮断構造体２１は、便座にネジ止めするもの、又は、便座に添着するものが好ましく、すなわち、該尿遮断構造体２１は、該尿遮断器具２１であることが好ましい。更に、その中でも、後記するように、例えば洋式トイレの使用場所等で便座に添着する態様が特に好ましい。
【００２４】
本発明の尿遮断構造体２１は、少なくとも構造体本体２２と貼換可能紙２３を有しているが（図２〜４）、該構造体本体２２は、弓形に曲がっていてもよい略棒状になっている。図１（Ａイ）（Ｂイ）（Ｃイ）は、棒状のものの一例を示し、図１（Ａロ）（Ｂロ）（Ｃロ）は、弓形に曲がっている略棒状のものの一例を示している。
【００２５】
図３に「上記貼換可能紙２３を有した上記棒状の構造体本体２２」の断面の例を示す。図３に示したように、略棒状の構造体本体２２の側面は、少なくとも２つの側面が平面であり、１つの平面の側面Ａが便座の下面１２ａに添着されるようになっており、もう１つの平面の側面Ｂは貼換可能紙２３が貼り付けられるようになっていることが好ましい。
側面Ａが平面であると、尿遮断構造体２１を、すなわち構造体本体２２を、「平面である便座の下面１２ａ」に強固に添着し易く、側面Ｂが平面であると、貼換可能紙２３を構造体本体２２の側面Ｂに貼り付け易い。
【００２６】
本発明の尿遮断構造体２１が、尿遮断器具２１の場合であって、便座に添着する態様の場合、どのようにその側面Ａを便座の下面１２ａに添着してもよいが、添着剤を用いて添着することが好ましい。尿遮断構造体２１の側面Ａには、予め添着剤が付与された添着層（図示せず）が設けられていることが好ましい。また、該添着層は離型フィルム（図示せず）で保護されていることが好ましい。本発明の尿遮断構造体２１の使用者は、該離型フィルムを剥がし、便座の下面１２ａの所定の位置に尿遮断構造体２１を貼り付ける（図１）。
図４に示したように、構造体本体２２には、側面Ａの延長として添着性増強部２５があってもよい。延長はどの方向に延長されていてもよい。該添着性増強部２５があると、尿遮断構造体２１が便座の下面１２ａに強固に添着できる。
【００２７】
該構造体本体２２が図１（Ａイ）（Ｂイ）（Ｃイ）に示したように棒状の場合には、側面Ｂは完全な平面であるが、該構造体本体２２が図１（Ａロ）（Ｂロ）（Ｃロ）に示したように弓形に曲がっている略棒状の場合には、側面Ｂは内側に向かってカーブした略平面となる。
図３（ａ）は、構造体本体２２の４つの側面が全て平面の場合、すなわち断面が長方形の場合であり、図３（ｂ）は、構造体本体２２の４つの側面のうち、２つの側面が平面の場合、すなわち断面が扇型の場合である。特に限定はないが、取り扱いの容易さ、形状の単純さから、断面は長方形であることが好ましい（図３（ａ））。
【００２８】
図１（Ａイ）（Ａロ）（Ｃイ）（Ｃロ）に示したように、本発明の尿遮断構造体２１は、便座の前方の下面１２ａに、便座１２を倒したときに（小便をしているときに）、前方に放射する尿（尿方向Ｎに向かっている尿）を遮断するように設けられる。
図１（Ａロ）（Ｂロ）（Ｃロ）に示したように、尿遮断構造体２１すなわち構造体本体２２が弓形に曲がっているときは、該尿遮断構造体２１の弓形は、便座１２の前方の弓形や、便器本体１１の縁の前方の弓形とほぼ一致していることが好ましい。
また、図１（Ａイ）（Ｂイ）（Ｃイ）に示したように、尿遮断構造体２１すなわち構造体本体２２が棒状であることも、形状が単純で扱い易い、貼換可能紙２３の下側のはみ出し部分ｂ２が便器本体の上面１１ａに接し易い（図２参照）、等の点から好ましい。
【００２９】
図１（Ｂイ）（Ｂロ）は、便器本体の上面１１ａと便座の下面１２ａとの隙間１３に存在する尿遮断構造体２１を、横から尿の噴射方向Ｎに向かって（前方に向かって）見た図であって、図１（Ｃイ）（Ｃロ）のＰ−Ｐ’矢視断面図である。
図１（Ｂイ）（Ｂロ）に示したように、本発明の尿遮断構造体は、尿方向Ｎに、すなわち便器本体１１や便座１２のちょうど前方に設けられることが好ましい。
【００３０】
本発明の尿遮断構造体２１や構造体本体２２の（横方向の）長さは、好適に便座１２に貼り付けることができて、尿を止めることができればよいが、その目的を好適に達成させるために、４ｃｍ以上１５ｃｍ以下が好ましく、５ｃｍ以上１０ｃｍ以下がより好ましく、６ｃｍ以上８ｃｍ以下が特に好ましい。
【００３１】
また、図１（Ｂイ）（Ｂロ）に示したように、本発明における構造体本体２２の縦方向の長さ、すなわち側面Ｂの幅は、便器本体の上面１１ａと便座の下面１２ａとの隙間１３より若干短いことが好ましい。該隙間１３の大きさ（間隔）は、洋式トイレによって異なるところ、両者をちょうど同じにして（すなわち構造体本体２２の縦方向の長さ（側面Ｂの幅）をなるべく長くして）、構造体本体２２だけで該隙間１３を塞ごうとすると、該隙間１３が短い（間隔が小さい）タイプの洋式トイレでは、該構造体本体２２が邪魔をして、便座１２が便器本体１１の上にピッタリ乗らない場合がある。言い換えれば、尿遮断構造体２１（構造体本体２２）に洋式トイレの機種適応性がなくなる場合がある。また、人が座ったときの重みで便座１２が上下することで、（オゾン）脱臭等のスイッチが入るようになっていることもあり、その機能に障害を与える場合がある。
【００３２】
図２は、洋式トイレの先端部の断面図であり、図１（Ｂイ）のＱ−Ｑ’矢視断面図であり、「便器本体の上面１１ａと便座の下面１２ａとの隙間１３」、並びに、「尿遮断構造体２１（構造体本体２２）の縦方向の長さ（側面Ｂの幅）」及び「交換可能紙２３の縦方向の長さ（幅）」の関係を示すものである。
図２に示したように、「尿遮断構造体２１（構造体本体２２）の縦方向の長さ（側面Ｂの幅）」が、「便器本体の上面１１ａと便座の下面１２ａとの隙間１３」より短いと、上記したような障害が生じない。更に、図２（ａ１）（ｂ１）のように、余裕を持って離れていると、尿遮断構造体２１が、洋式トイレの機種適応性・汎用性が増すと共に、洋式トイレのスイッチ機能に障害を与え難くなる。
【００３３】
後者が前者より短くても、すなわち「構造体本体２２の縦方向の長さ（側面Ｂの幅）」が「便器本体の上面１１ａと便座の下面１２ａとの隙間１３」より短くても、言い換えれば、該構造体本体２２が該隙間１３を完全には塞いでいなくても、該構造体本体２２に貼り付けられた交換可能紙２３が、該隙間１３を完全に塞いで、尿の洋式トイレの前方への放出を遮断することができる。
本発明における後述する交換可能紙は、尿で濡れたときに交換を容易にするためにあると共に、構造体本体２２が該隙間１３を完全に塞がないときに（余裕を持たせたときに）、該隙間１３をフレキシブルに完全に塞ぐためにある。
【００３４】
構造体本体２２の縦方向の長さ、すなわち側面Ｂの幅は、「便器本体の上面１１ａと便座の下面１２ａとの隙間１３」より短く、上記効果を奏するような長さであればよいが、５ｍｍ以上１７ｍｍ以下が好ましく、６ｍｍ以上１５ｍｍ以下がより好ましく、７ｍｍ以上１３ｍｍ以下が特に好ましい。
【００３５】
図２（ａ１）（ｂ１）は、構造体本体２２は隙間１３を塞いでいないが、貼換可能紙２３が隙間１３を塞いでいる態様を示し、図２（ａ２）（ｂ２）は、構造体本体２２は隙間１３をほぼ塞いでおり、貼換可能紙２３で隙間１３を完全に塞いでいる態様を示す。
限定はされないが、図２で比較すると、図２（ａ１）（ｂ１）の方が、図２（ａ２）（ｂ２）より、洋式トイレの機種適応性・汎用性が増すために好ましい。
【００３６】
また、図２（ａ１）（ａ２）は、尿遮断構造体２１（構造体本体２２）が、便器本体１１の前方の縁の幅のほぼ中央にある形態を示している。すなわち、尿遮断構造体２１（構造体本体２２）が、便器本体１１の前方の縁の幅の手前側（図２（ａ１）（ａ２）では右側）末端に位置していない。この場合、貼換可能紙２３は、手前側（図２では右側）において、便器本体１１の縁から便器内に垂れ下がってはいない態様を示している。
また、図２（ｂ１）（ｂ２）は、尿遮断構造体２１（構造体本体２２）が、便器本体１１の前方の縁の幅の手前側（図２（ｂ１）（ｂ２）では右側）にある形態を示しており、貼換可能紙２３は、手前側（図２では右側）において、便器本体１１の縁への尿の侵入を遮断している態様を示している。
【００３７】
本発明においては、図２（ａ１）（ａ２）でも、図２（ｂ１）（ｂ２）でもよいが、図２（ａ１）（ａ２）の方が好ましい。図２（ａ１）（ａ２）の位置であると、尿遮断構造体２１を便座の下面１２ａに設ける場合に位置決めが簡単である。また、図２（ａ１）（ａ２）の位置であっても、便器本体の上面１１ａは十分奇麗に保てるし、上記隙間１３から尿の前方への放出はほぼ完璧に遮断できる。
【００３８】
特許文献１〜４に記載の器具（構造体）では、便座内側に垂れ下がるように尿飛散防止板が配設されていたり、遮蔽体が便器本体の内にまで延出しており、それによって小用飛散防止ができたり、上記隙間１３から便器本体の内部にまで延出しているものに沿って尿を便器内に導くものであり、何れも、図２の何れの形態とも異なる。特に、図２（ａ１）（ａ２）は、尿遮断構造体２１（構造体本体２２）が、便器本体１１のほぼ中央に位置し、貼換可能紙２３は便器本体１１の縁から便器内に垂れ下がってはいない。
特許文献に記載の器具（構造体）では、前記したように、大袈裟であり、設置や取り外しが容易ではなく、掃除する部分を単に増やすだけであり、また、尿による洋式トイレ前方の汚れを防止するためには、尿をわざわざ便器内に導く必要性はない。
【００３９】
本発明における構造体本体２２の横方向の長さ、すなわち、構造体本体の側面Ａの幅は、便座の下面１２ａに添着でき、十分な強度があれば、特に限定はないが、５ｍｍ以上２５ｍｍ以下が好ましく、６ｍｍ以上２０ｍｍ以下がより好ましく、７ｍｍ以上１５ｍｍ以下が特に好ましい。また、構造体本体の側面Ａの幅は、限定はされないが、前記した構造体本体の側面Ｂの幅の１／２倍以上２倍以下が好ましく、側面Ｂの幅とほぼ同等（すなわち構造体本体２２の断面がほぼ正方形）であることが特に好ましい。
図４に示したように、構造体本体２２には、側面Ａの延長として添着性増強部２５があってもよいが、該添着性増強部２５の長さは、限定はないが上記側面Ａの幅の０．５倍以上２倍以下であることが好ましい。
【００４０】
上記構造体本体２２の材質は特に限定はなく、例えば、プラスチック、紙、木、竹等が挙げられるが、プラスチックが、丈夫である点、交換可能紙の貼り換えが容易である点等から好ましい。限定はないが、貼り換え性（表面エネルギー）、価格、成型の容易さ等の点から、ポリエチレン、ポリプロピレン等のポリオレフィンが特に好ましい。
該構造体本体２２は、内部が埋まっていてもよく、空洞であって側面だけでできていてもよい。該構造体本体の製造方法は特に限定はない。
【００４１】
本発明の尿遮断構造体には、例えば、図２、図３、図４に示したように、該貼換可能紙２３が、該構造体本体２２の手前側の側面Ｂに、貼り換えが可能なように貼り付けられている。
該貼換可能紙２３の幅は、図３に示したように、上記構造体本体２２の側面Ｂの幅より大きくなっていて、側面Ｂの上側と下側にはみ出ており、上側のはみ出し部分ｂ１は、便座の下面１２ａと構造体本体２２の添着部分を覆うようになっており、下側のはみ出し部分ｂ２は、「上記構造体本体２２」と「上記便器本体の前方の上面１１ａ」との隙間１３を覆うようになっていることが好ましい。
【００４２】
はみ出し部分ｂ１によって、「該構造体本体２２」と「便座の下面１２ａ」との添着部分を覆うことができて、濡れ・汚れが浸透し易い該添着部分を保護することができる。添着材は一般に水に弱く、添着部分への水（尿）の侵入により添着性が落ちるが、はみ出し部分ｂ１によって、該構造体本体の側面Ａと便座の下面１２ａとの添着性が長期間持続できる。また、添着部分は、手前から見て線状に窪んでいることが多く、そこに尿や汚れや付着し易いが、それを防ぐことができる。
【００４３】
上記はみ出し部分ｂ１の長さ（はみ出し幅）は、０．７ｍｍ以上３ｍｍ以下が好ましく、１ｍｍ以上２．６ｍｍ以下がより好ましく、１．２ｍｍ以上２．２ｍｍ以下が特に好ましい。
この範囲であると上記効果を発揮し易く、特に上限が上記以上であると、構造体本体２２（尿遮断構造体２１）を便座の下面１２ａに添着させ難くなる場合がある。
【００４４】
下側のはみ出し部分ｂ２は、上記構造体本体２２と「上記便器本体の前方の上面１１ａ」との隙間１３を覆うようになっている。
該はみ出し部分ｂ２によって、特に前記した本発明の効果を発揮する。すなわち、構造体本体２２が便器本体の上面１１ａにちょうど接していなくても、尿の洋式トイレの前方への放出を、はみ出し部分ｂ２が遮断する。そのため、貼換可能紙２３は、便器本体１１の上面１１ａに沿って曲がるだけのしなやかさを有しているものが好ましい。
【００４５】
上記はみ出し部分ｂ２の長さ（はみ出し幅）は、２ｍｍ以上１６ｍｍ以下が好ましく、３ｍｍ以上１０ｍｍ以下がより好ましく、４ｍｍ以上７ｍｍ以下が特に好ましい。
この範囲であると上記効果を発揮し、特に上限が上記以上であると、邪魔になる場合、便座１２を便器本体１１の上に倒したときに、はみ出し部分ｂ２が手前側に曲がって、便器本体の縁の上面に沿って好適に密着しないで皺々になる場合、尿で濡れる面積を無駄に広げる場合等がある。
【００４６】
上記貼換可能紙２３は、少なくとも紙２３ｃと粘着層２３ｄを有してなるが、上から順に、ニス層２３ａ、紙２３ｃ、粘着層２３ｄを有してなることが好ましい（図５）。
該貼換可能紙２３は、上記はみ出し部分ｂ２によって、構造体本体２２が便器本体の上面１１ａにちょうど接していなくても、便器本体の上面１１ａにまで至って該上面に接し、また前記隙間１３が狭いような場合には、便器本体の上面１１ａに沿って曲がって該上面に接して、尿の洋式トイレの前方への放出を、はみ出し部分ｂ２が遮断する。そのため、貼換可能紙２３は、曲がり易く、しなやかさを有しているものが好ましい。
【００４７】
上記貼換可能紙２３は、好ましくは最表面に、ニス層２３ａを有していることが好ましいが、該ニス層２３ａによって見栄えが良くなると共に、摩擦に強くし耐久性に優れるようになる。また、その下の「紙２３ｃや下記する印刷層２３ｂ」を保護して、紙２３ｃや印刷層２３ｂが尿で濡れて直ぐに使用不能になってしまうことを防止する。
【００４８】
上記貼換可能紙２３は、上から順に、ニス層２３ａ、印刷層２３ｂ、紙２３ｃ、粘着層２３ｄを有しており、該印刷層２３ｂは、「模様、文字及び／又は色」２４が印刷されることで形成されていることが特に好ましい。該貼換可能紙２３の特に好ましい形態（層構成）を図５に示す。
【００４９】
上記ニス層２３ａは、水性でも油性でもよいが、水性であることが、上記ニス層２３ａの効果を奏し、印刷層２３ｂを適度に尿に対して弱くするために好ましい。該ニス層２３ａによって、好適な時期に印刷が滲むようになっていて、交換時期を適切に使用者に分からせる。
該ニス層２３ａは、オフセット印刷、スクリーン印刷、グラビア印刷等、何れの方法で印刷して形成してもよいが、オフセット印刷が好ましい。また、ＵＶインキ（紫外線硬化型インキ）で形成されていてもよいし、溶剤溶解型のインキで形成されていてもよい。また、ニス層２３ａはテクスチャー（感触・質感）を表現したものでもよい。
該ニス層２３ａの厚さは、通常のニス層の厚さでよく特に限定はないが、上記効果を好適に奏する厚さにする。
【００５０】
上記貼換可能紙２３の紙２３ｃの種類としては、特に限定はないが、上質紙、中性紙、再生紙、コート紙、ケント紙等が好ましいものとして挙げられ、中でも、上質紙又は中性紙が特に好ましい。
該紙２３ｃの厚さは、前記本発明の効果を奏するように決められるが、０．０１ｍｍ以上１ｍｍ以下が好ましく、０．０２ｍｍ以上０．３ｍｍ以下がより好ましく、０．０３ｍｍ以上０．１ｍｍ以下が特に好ましい。
【００５１】
該貼換可能紙２３は、尿で濡れて（汚れた）場合、新しいものに貼り換えが可能であるが、その際、尿で汚れた使用済のものを、本発明の尿遮断構造体２１が使用してあった洋式トイレにそのまま流してしまえると極めて便利である。そのため、該貼換可能紙２３は、水に溶解又は微分散するものであり、尿で汚れた際に便器本体の中に廃棄できるようになっていることが特に好ましい。
【００５２】
該貼換可能紙２３には、「模様、文字及び／又は色」２４が印刷されており、尿で濡れると滲むようになっていて交換時期が来たことを知らせるようになっていることが特に好ましい。言い換えれば、該貼換可能紙２３には、印刷による印刷層２３ｂが形成されていて、該印刷層２３ｂが尿で濡れると崩れて、印刷が滲むようになっていることが特に好ましい。具体的には、尿で（何度も）濡れると、印刷された模様が乱れたり、文字が読み難くなったり、色がムラになったりするようになっていることが特に好ましい。
【００５３】
「模様、文字、色等」２４は、はみ出し部分ｂ２の上にまで印刷されていてもよい。
図６に、文字が印刷された貼換可能紙２３の一例を示す。図６（ａ）は日本語、図６（ｂ）は中国語である。文字の具体的内容や言語、文字の上下、色、大きさ等は、特に限定はない。
【００５４】
上記貼換可能紙２３の粘着層２３ｄは、特に限定はなく、構造体本体の側面Ｂに好適に貼り付けられ、尿で交換可能紙が汚れたら、構造体本体の側面Ｂから好適に剥がせるものならばよい。公知の粘着層（の材質）が用いられ、粘着層２３ｄの厚さも上記効果が得られればよい。
【００５５】
該貼換可能紙２３は、構造体本体２２に貼り付けられた状態で流通してもよいが、該貼換可能紙２３は交換可能であることが特徴であるので、上記粘着層２３ｄは離型紙２３ｅで保護され、該貼換可能紙２３が単独で流通しても取り扱い上問題がないようになっていることが好ましい。
すなわち、本発明は、前記の尿遮断構造体用であることを特徴とする貼換可能紙２３でもあり、上から順に、ニス層２３ａ、印刷層２３ｂ、紙２３ｃ、粘着層２３ｄを有しており、該印刷層２３ｂは、「模様、文字及び／又は色」２４が印刷されることで形成されている上記貼換可能紙２３でもある。図５に本発明の貼換可能紙２３の特に好ましい層構成の一例を示した。
該離型紙２３ｅの材質は特に限定はなく、紙であっても紙でなくてもよく（例えば樹脂フィルム）、公知のものが使用できる。該離型紙２３ｅの厚さも公知の厚さでよい。
【００５６】
また、前記の尿遮断構造体が設けられている便座や、前記の尿遮断構造体を具備する便器本体すなわち該便座を具備する洋式トイレの便器本体も、前記した本発明の効果を奏する。
該便座や該便器本体には、使用場所等において後から前記の尿遮断構造体（すなわち尿遮断器具）を添着又は設置することもできるし、該便座や該便器本体を、前記の尿遮断構造体が設けられている状態で譲渡等することもできる。
【産業上の利用可能性】
【００５７】
本発明の尿遮断構造体は、洋式トイレの前方の「尿による汚れ」を簡便に防止し、尿で濡れて汚れた場合には、貼換可能紙２３を貼り換えれば、該汚れを簡便に取り除くことができる。また、貼換可能紙２３はフレキシブルであるので、便器本体の上面１１ａと便座の下面１２ａとの隙間１３の大小によらず、何れの洋式トイレにも適用できるので、本発明は、便器製造業、便器設置業のみならず、家庭用雑貨分野、住宅備品分野、サニタリー分野、トイレタリー分野等で広く利用が可能である。
また、本発明の貼換可能紙２３には、ニス層２３ａや印刷が施されていることが好ましいので、該貼換可能紙２３は消耗品であることを考えると、本発明は、印刷業、塗工業等の分野でも広く利用が可能である。
【符号の説明】
【００５８】
１１    便器本体
１１ａ  便器本体の上面
１２    便座
１２ａ  便座の下面
１３    隙間
２１    尿遮断構造体
２２    構造体本体
２３    貼換可能紙
２３ａ  ニス層
２３ｂ  印刷層
２３ｃ  紙
２３ｄ  粘着層
２３ｅ  離型紙
２４    模様、文字、色
２５    添着性増強部
Ａ      構造体本体の（便座の下面に添着される）側面
Ｂ      構造体本体の（手前側の）側面
ｂ１    上側のはみ出し部分
ｂ２    下側のはみ出し部分
Ｎ      尿方向
【要約】
洋式トイレの前方の「尿による汚れ」を防止し、尿で濡れて汚れた場合には、簡便に該汚れを取り除くことができる尿遮断構造体を提供することを課題とし、
本発明では、洋式トイレの便器本体１１の前方の上面１１ａと、「便器本体１１の上方に位置する便座１２」の前方の下面１２ａとの隙間１３を塞ぐ尿遮断構造体２１であって、
該尿遮断構造体２１は、構造体本体２２と貼換可能紙２３を有し、該便座の前方の下面１２ａに、尿を遮断するように設けられるものであり、
該構造体本体２２は、弓形に曲がっていてもよい略棒状をしており、
該貼換可能紙２３は、該構造体本体２２の手前側の側面Ｂに、貼り換えが可能なように貼り付けられていることを特徴とする尿遮断構造体２１、該尿遮断構造体用であることを特徴とする貼換可能紙２３、該尿遮断構造体２１が設けられている便座１２、及び、該尿遮断構造体を具備する便器本体１１によって上記課題を解決した。【図１】
0006359792.tif 000002
【図２】
0006359792.tif 000003
【図３】
0006359792.tif 000004
【図４】
0006359792.tif 000005
【図５】
0006359792.tif 000006
【図６】
0006359792.tif 000007